【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
バッテリセルアセンブリであって、
該バッテリセルアセンブリは、
第１の金属電極、第１の空気電極、および該第１の金属電極と該第１の空気電極との間の電解質を有する第１のセルと、
第２の金属電極、第２の空気電極、および該第２の金属電極と該第２の空気電極との間の電解質を有する第２のセルと
を含み、
該第１のセルの該第１の金属電極は、空気トンネルが該第１の金属電極と該第２の空気電極との間に形成されるように、該第２のセルの該第２の空気電極に接触し、該第１の金属電極と該第２の空気電極とは、実質的に、垂直方向に整列させられ、水平方向に方向付けられている、バッテリセルアセンブリ。
【請求項２】
前記第１および第２の金属電極、ならびに前記第１および第２の空気電極は、実質的に水平方向の方向付けで収納されている、請求項１に記載のバッテリセルアセンブリ。
【請求項３】
前記第１の金属電極は、前記第２の空気電極の付近で折り曲げられることによって、該第２の空気電極に接触し、それにより、セントロードを形成する、請求項１に記載のバッテリセルアセンブリ。
【請求項４】
前記セントロードは、前記第１のセルと前記第２のセルとの間に直列接続を提供する、請求項３に記載のバッテリセルアセンブリ。
【請求項５】
前記第１のセル、前記第２のセル、および１つ以上のセルは、垂直方向に積み重ねられ、水平方向に方向付けられ、所望の電圧を達成するように選択される、請求項１に記載のバッテリセルアセンブリ。
【請求項６】
水平方向のガス流が、前記空気トンネル内を流れる、請求項１に記載のバッテリセルアセンブリ。
【請求項７】
第３の金属電極、第３の空気電極、および該第３の金属電極と該第３の空気電極との間の電解質を有する第３のセルと、
第４の金属電極、第４の空気電極、および該第４の金属電極と該第４の空気電極との間の電解質を有する第４のセルと
をさらに含み、
該第３のセルの該第３の金属電極は、空気トンネルが該第３の金属電極と該第４の空気電極との間に形成されるように、該第４のセルの該第４の空気電極の付近で折り曲げられ、それにより、第２のセントロードを形成し、
該第２のセントロードは、前記第１のセルと該第２のセルとの間に接続を提供する前記セントロードと電気的に接触している、請求項４に記載のバッテリセルアセンブリ。
【請求項８】
エネルギー貯蔵システムであって、
該エネルギー貯蔵システムは、
流量制御特徴を有する電解質供給アセンブリであって、該流量制御特徴は、液体電解質を下層の金属空気バッテリセルに分配するように構成されている、電解質供給アセンブリと、
オーバーフロー部分を有する少なくとも１つの充填または排出ポートを含む複数の金属空気バッテリセルと
を含み、
該流量制御特徴は、該オーバーフロー部分を覆うように垂直方向に整列させられ、該金属空気バッテリセルは、垂直方向に整列させられ、相互の最上部の上に積み重ねられ、該金属空気バッテリセルは、１つ以上の電極反応を受けるように構成され、該１つ以上の電極反応は、塩素、次亜塩素酸塩、または塩化物のうちの少なくとも１つをさらに含む、エネルギー貯蔵システム。
【請求項９】
再充電可能な金属空気バッテリセルであって、
該バッテリセルは、
金属電極と、
空気電極と、
該金属電極と該空気電極との間の水性の電解質と
を含み、
該金属電極は、該電解質に直接接触し、いずれのセパレータも該空気電極と該電解質との間に提供されない、バッテリセル。
【請求項１０】
フレームをさらに含み、該フレームは、相互から固定距離を置いている前記金属電極と前記空気電極とを支持する、請求項９に記載のバッテリセル。
【請求項１１】
前記金属電極と前記空気電極との間の前記固定距離は、前記水性の電解質が中に含有される空間を画定する、請求項９に記載のバッテリセル。
【請求項１２】
前記金属電極は、亜鉛ベースのアノードである、請求項９に記載のバッテリセル。
【請求項１３】
前記空気電極は、空気透過性疎水性膜、耐食金属電流コレクタを有する、炭素ベースの酸素カソードまたはポリマーベースの酸素電極であり、アノード電位下での充電中、酸素発生が有利である、請求項９に記載のバッテリセル。
【請求項１４】
前記フレームは、プラスチックで形成される、請求項９に記載のバッテリセル。
【請求項１５】
前記空気電極は、前記金属電極の上方に提供される、請求項９に記載のバッテリセル。
【請求項１６】
前記フレームは、棚を含み、該棚は、前記セル内で突出し、前記金属電極に接触する、請求項９に記載のバッテリセル。
【請求項１７】
前記空気電極と前記金属電極との間に、または該金属電極の両側に、補助電極をさらに含み、該補助電極は、セル充電および関連酸素発生のために構成されている、請求項９に記載のバッテリセル。
【請求項１８】
前記空気電極は、マンガンを含む、請求項９に記載のバッテリセル。
【請求項１９】
前記空気電極は、二酸化マンガンまたは可溶性マンガン塩のうちの少なくとも１つを含む、請求項９に記載のバッテリセル。
【請求項２０】
前記空気電極は、コバルトまたはイリジウムのうちの少なくとも１つを含む、請求項９に記載のバッテリセル。
【請求項２１】
前記空気電極は、塩化コバルトまたは酸化イリジウムのうちの少なくとも１つを含む、請求項９に記載のバッテリセル。
【請求項２２】
前記バッテリセルは、１つ以上の電極反応を受けるように構成され、該１つ以上の電極反応は、尿素またはアンモニアのうちの少なくとも１つをさらに含む、請求項９に記載のバッテリセル。
【請求項２３】
前記バッテリセルは、１つ以上の電極反応を受けるように構成され、該１つ以上の電極反応は、塩素、次亜塩素酸塩、または塩化物のうちの少なくとも１つをさらに含む、請求項９に記載のバッテリセル。
【請求項２４】
エネルギーを貯蔵するための方法であって、
該方法は、
電解質供給タンクにおいて電解質を受容することと、
該電解質供給タンクにおいてオーバーフローが発生する場合に、いくらかの電解質が、電解質供給タンクから下層の第１の金属空気バッテリセルに落下することを可能にすることと、
該下層の金属空気バッテリセルにおいてオーバーフローが発生する場合に、いくらかの電解質が、該下層の第１の金属空気バッテリセルから第２の金属空気バッテリセルまたは収集タンクに落下することを可能にすることと
を含む、方法。
【請求項２５】
エネルギーを貯蔵するための方法であって、
該方法は、
１つ以上のセントロードを提供することであって、該１つ以上のセントロードは、第２のセルの空気電極と接触している第１のセルの金属電極を有し、空気トンネルが、該金属電極と該空気電極との間に提供される、ことと、
該１つ以上のセントロードを覆うように延在する第１のフレーム、および該１つ以上のセントロードより下に延在する第２のフレームを提供することと
を含み、
該第１のセルは、空間を含み、該空間は、該金属電極を覆い、電解質を受け入れるために該第１のフレームによって取り囲まれ、該第２のセルは、空間を含み、該空間は、該空気電極より下にあり、電解質を受け入れるために第２の空間によって取り囲まれている、方法。
【手続補正２】
【補正対象書類名】明細書
【補正対象項目名】００１２
【補正方法】変更
【補正の内容】
【００１２】
本発明の他の目標および利点は、以下の説明および添付図面と併せて考慮したときに、さらに認識および理解されるであろう。以下の説明は、本発明の特定の実施形態を説明する具体的詳細を含有してもよいが、これは、本発明の範囲への制限として解釈されるべきではなく、むしろ、潜在的または好ましい実施形態の例示として解釈されるべきである。本発明の各側面について、本明細書で示唆されるように、当業者に公知である多くの変化例が可能である。その精神から逸脱することなく、本発明範囲内で、種々の変更および修正を行うことができる。
本願明細書は、例えば、以下の項目も提供する。
（項目１）
再充電可能な金属空気バッテリセルシステムであって、
該バッテリセルシステムは、
金属電極と、
空気電極と、
約３から約１０までの範囲内のｐＨを有する電解質水溶液と
を含み、
該バッテリセルシステムは、材料の物理的劣化または該バッテリセルシステムの性能の実質的な劣化を伴わずに、少なくとも５００回の放電および再充電サイクルが可能である、
バッテリセルシステム。
（項目２）
前記電解質は、水性の塩化物ベース電解質である、項目１に記載のバッテリセルシステム。
（項目３）
前記電解質は、可溶性塩化物塩の混合物であり、該可溶性塩化物塩の混合物は、水溶液中で可溶性塩化物塩を生じるために好適な陽イオンを有する、項目２に記載のバッテリセルシステム。
（項目４）
前記電解質は、可溶性塩の混合物であり、該可溶性塩の混合物は、硫酸塩、硝酸塩、炭酸塩、ヘキサフルオロケイ酸塩、テトラフルオロホウ酸塩、メタンスルホン酸塩、過マンガン酸塩、ヘキサフルオロリン酸塩、ホウ酸塩、またはリン酸塩のうちの少なくとも１つに基づいている、項目１に記載のバッテリセルシステム。
（項目５）
前記電解質は、ｐＨレベルを有し、該ｐＨレベルにおいて、空気中に存在するＣＯ２が吸収されず、したがって、いずれの炭酸塩も形成されない、項目１に記載のバッテリセルシステム。
（項目６）
添加剤をさらに含み、該添加剤は、従来のバッテリセルと比較して、前記金属電極上での亜鉛堆積を向上させる、項目１に記載のバッテリセルシステム。
（項目７）
前記添加剤は、種々の分子量のポリエチレングリコール、またはチオ尿素のうちの少なくとも１つを含む、項目１に記載のバッテリセルシステム。
（項目８）
添加剤をさらに含み、該添加剤は、発泡を防止し、ガス放出を可能にする、項目１に記載のバッテリセルシステム。
（項目９）
前記添加剤は、シメチコン、Ｄｏｗｅｘ、アロエベラ、または他の界面活性剤のうちの少なくとも１つである、項目８に記載のバッテリセルシステム。
（項目１０）
添加剤をさらに含み、該添加剤は、充電中に水素発生を防止する、項目１に記載のバッテリセルシステム。
（項目１１）
前記添加剤は、塩化スズ、塩化鉛、塩化水銀、塩化カドミウム、または塩化ビスマス等の高水素過電圧塩化物塩のうちの少なくとも１つを含む、項目１０に記載のバッテリセルシステム。
（項目１２）
添加剤をさらに含み、該添加剤は、再充電中に塩素および／または次亜塩素酸塩発生を防止する、項目１に記載のバッテリセルシステム。
（項目１３）
前記添加剤は、尿素を含む、項目１２に記載のバッテリセルシステム。
（項目１４）
添加剤をさらに含み、該添加剤は、望ましい沈殿を制御する、項目１に記載のバッテリセルシステム。
（項目１５）
前記添加剤は、安息香酸塩、ヨウ素酸塩、ステアリン酸塩、または炭酸塩のうちの少なくとも１つを含む、項目１４に記載のバッテリセルシステム。
（項目１６）
前記空気電極は、マンガンを含む、項目１に記載のバッテリセルシステム。
（項目１７）
前記空気電極は、二酸化マンガンまたは可溶性マンガン塩のうちの少なくとも１つを含む、項目１に記載のバッテリセルシステム。
（項目１８）
前記空気電極は、コバルトまたはイリジウムのうちの少なくとも１つを含む、項目１に記載のバッテリセルシステム。
（項目１９）
前記空気電極は、塩化コバルトまたは酸化イリジウムのうちの少なくとも１つを含む、項目１に記載のバッテリセルシステム。
（項目２０）
前記バッテリセルは、１つ以上の電極反応を受けるように構成され、該１つ以上の電極反応は、尿素またはアンモニアのうちの少なくとも１つをさらに含む、項目１に記載のバッテリセルシステム。
（項目２１）
前記バッテリセルは、１つ以上の電極反応を受けるように構成され、該１つ以上の電極反応は、塩素、次亜塩素酸塩、または塩化物のうちの少なくとも１つをさらに含む、項目１に記載のバッテリセルシステム。
（項目２２）
バッテリセルアセンブリであって、
該バッテリセルアセンブリは、
第１の金属電極、第１の空気電極、およびそれらの間の電解質を有する第１のセルと、
第２の金属電極、第２の空気電極、およびそれらの間の電解質を有する第２のセルと
を含み、
該第１のセルの該第１の金属電極は、空気トンネルが該第１の金属電極と該第２の空気電極との間に形成されるように、該第２のセルの該第２の空気電極に接触し、該第１の金属電極と該第２の空気電極とは、実質的に、垂直方向に整列させられ、水平方向に方向付けられている、バッテリセルアセンブリ。
（項目２３）
前記第１および第２の金属電極、ならびに前記第１および第２の空気電極は、実質的に水平方向の方向付けで収納されている、項目２２に記載のバッテリセルアセンブリ。
（項目２４）
前記第１の金属電極は、前記第２の空気電極の付近で折り曲げられることによって、該第２の空気電極に接触し、それにより、セントロードを形成する、項目２２に記載のバッテリセルアセンブリ。
（項目２５）
前記セントロードは、前記第１のセルと前記第２のセルとの間に直列接続を提供する、項目２４に記載のバッテリセルアセンブリ。
（項目２６）
前記第１のセル、前記第２のセル、および１つ以上のセルは、垂直方向に積み重ねられ、水平方向に方向付けられ、所望の電圧を達成するように選択される、項目２２に記載のバッテリセルアセンブリ。
（項目２７）
水平方向のガス流が、前記空気トンネル内を流れる、項目２２に記載のバッテリセルアセンブリ。
（項目２８）
第３の金属電極、第３の空気電極、およびそれらの間の電解質を有する第３のセルと、
第４の金属電極、第４の空気電極、およびそれらの間の電解質を有する第４のセルと
をさらに含み、
該第３のセルの該第３の金属電極は、空気トンネルが該第３の金属電極と該第４の空気電極との間に形成されるように、該第４のセルの該第４の空気電極の付近で折り曲げられ、それにより、第２のセントロードを形成し、
該第２のセントロードは、前記第１のセルと第２のセルとの間に接続を提供する前記セントロードと電気的に接触している、項目２５に記載のバッテリセルアセンブリ。
（項目２９）
エネルギー貯蔵システムであって、
該エネルギー貯蔵システムは、
流量制御特徴を有する電解質供給アセンブリであって、該流量制御特徴は、液体電解質を下層の金属空気バッテリセルに分配するように構成される、電解質供給アセンブリと、
オーバーフロー部分を有する少なくとも１つの充填または排出ポートを含む１つ以上の金属空気バッテリセルと
を含み、
該流量制御特徴は、該オーバーフロー部分を覆うように垂直方向に整列させられている、エネルギー貯蔵システム。
（項目３０）
前記流量制御特徴は、液体電解質を滴に分解する、項目２９に記載のエネルギー貯蔵システム。
（項目３１）
複数の金属空気バッテリセルをさらに含み、該金属空気バッテリセルは、垂直方向に整列させられ、相互の最上部の上に積み重ねられる、項目２９に記載のエネルギー貯蔵システム。
（項目３２）
前記金属空気バッテリセルの各々の前記充填または排出ポートは、水平方向に方向付けられ、相互の最上部の上に積み重ねられ、それにより、連続チャネルを形成する、項目３１に記載のエネルギー貯蔵システム。
（項目３３）
電解質収集トレイをさらに含み、該電解質収集トレイは、前記１つ以上の金属空気バッテリセルより下に設置される、項目２９に記載のエネルギー貯蔵システム。
（項目３４）
前記電解質供給アセンブリは、重力駆動型である、項目２９に記載のエネルギー貯蔵システム。
（項目３５）
前記電解質供給アセンブリは、射出成形される、項目２９に記載のエネルギー貯蔵システム。
（項目３６）
前記複数の金属空気バッテリセルは、圧縮を受けて積み重ねられる、項目３１に記載のエネルギー貯蔵システム。
（項目３７）
前記複数の金属空気バッテリセルは、前記電解質供給アセンブリに向かって上向きに傾斜している、項目３１に記載のエネルギー貯蔵システム。
（項目３８）
前記複数の金属空気バッテリセルは、水平から１〜５度の範囲内に入る角度で傾斜している、項目３１に記載のエネルギー貯蔵システム。
（項目３９）
前記金属空気バッテリセルは、空気電極を含み、該空気電極は、マンガンを含む、項目３１に記載のエネルギー貯蔵システム。
（項目４０）
前記金属空気バッテリセルは、空気電極を含み、該空気電極は、二酸化マンガンまたは可溶性マンガン塩を含む、項目３１に記載のエネルギー貯蔵システム。
（項目４１）
前記金属空気バッテリセルは、空気電極を含み、該空気電極は、コバルトまたはイリジウムのうちの少なくとも１つを含む、項目３１に記載のエネルギー貯蔵システム。
（項目４２）
前記金属空気バッテリセルは、空気電極を含み、該空気電極は、塩化コバルトまたは酸化イリジウムのうちの少なくとも１つを含む、項目３１に記載のエネルギー貯蔵システム。
（項目４３）
前記金属空気バッテリセルは、１つ以上の電極反応を受けるように構成され、該１つ以上の電極反応は、尿素またはアンモニアのうちの少なくとも１つをさらに含む、項目３１に記載のエネルギー貯蔵システム。
（項目４４）
前記金属空気バッテリセルは、１つ以上の電極反応を受けるように構成され、該１つ以上の電極反応は、塩素、次亜塩素酸塩、または塩化物のうちの少なくとも１つをさらに含む、項目３１に記載のエネルギー貯蔵システム。
（項目４５）
再充電可能な金属空気バッテリセルであって、
該バッテリセルは、
金属電極と、
空気電極と、
該金属電極と該空気電極との間の水性の電解質と
を含み、
該金属電極は、該電解質に直接接触し、いずれのセパレータも該空気電極と該電解質との間に提供されない、バッテリセル。
（項目４６）
フレームをさらに含み、該フレームは、相互から固定距離を置いている前記金属電極と前記空気電極とを支持する、項目４５に記載のバッテリセル。
（項目４７）
前記金属電極と前記空気電極との間の前記固定距離は、前記水性の電解質が中に含有される空間を画定する、項目４５に記載のバッテリセル。
（項目４８）
前記金属電極は、亜鉛ベースのアノードである、項目４５に記載のバッテリセル。
（項目４９）
前記空気電極は、空気透過性疎水性膜、耐食金属電流コレクタを有する、炭素ベースの酸素カソードまたはポリマーベースの酸素電極であり、アノード電位下での充電中、酸素発生が有利である、項目４５に記載のバッテリセル。
（項目５０）
前記フレームは、プラスチックで形成される、項目４６に記載のバッテリセル。
（項目５１）
前記空気電極は、前記金属電極の上方に提供される、項目４５に記載のバッテリセル。
（項目５２）
前記フレームは、棚を含み、該棚は、前記セル内で突出し、前記金属電極に接触する、項目４６に記載のバッテリセル。
（項目５３）
前記空気電極と前記金属電極との間に、または該金属電極の両側に、補助電極をさらに含み、該補助電極は、セル充電および関連酸素発生のために構成される、項目４５に記載のバッテリセル。
（項目５４）
前記空気電極は、マンガンを含む、項目４５に記載のバッテリセル。
（項目５５）
前記空気電極は、二酸化マンガンまたは可溶性マンガン塩のうちの少なくとも１つを含む、項目４５に記載のバッテリセル。
（項目５６）
前記空気電極は、コバルトまたはイリジウムのうちの少なくとも１つを含む、項目４５に記載のバッテリセル。
（項目５７）
前記空気電極は、塩化コバルトまたは酸化イリジウムのうちの少なくとも１つを含む、項目４５に記載のバッテリセル。
（項目５８）
前記バッテリセルは、１つ以上の電極反応を受けるように構成され、該１つ以上の電極反応は、尿素またはアンモニアのうちの少なくとも１つをさらに含む、項目４５に記載のバッテリセル。
（項目５９）
前記バッテリセルは、１つ以上の電極反応を受けるように構成され、該１つ以上の電極反応は、塩素、次亜塩素酸塩、または塩化物のうちの少なくとも１つをさらに含む、項目４５に記載のバッテリセル。
（項目６０）
エネルギーを貯蔵するための方法であって、
該方法は、
電解質供給タンクにおいて電解質を受容することと、
該電解質供給タンクにおいてオーバーフローが発生する場合に、いくらかの電解質が、電解質供給タンクから下層の第１の金属空気バッテリセルに落下することを可能にすることと、
該下層の金属空気バッテリセルにおいてオーバーフローが発生する場合に、いくらかの電解質が、該下層の第１の金属空気バッテリセルから第２の金属空気バッテリセルまたは収集タンクに落下することを可能にすることと
を含む、方法。
（項目６１）
前記収集タンクから除去された前記電解質を除去することと、
該収集タンクから除去された該電解質を処理することと、
該処理された電解質のうちの少なくともいくらかを前記電解質供給タンクに提供することと
をさらに含む、項目６０に記載の方法。
（項目６２）
前記第１の金属空気バッテリセルと前記第２の金属空気バッテリセルとは、相互に直列に接続される、項目６１に記載の方法。
（項目６３）
前記第１の金属空気バッテリセルと前記第２の金属空気バッテリセルとは、それらの間に空隙を有する、項目６２に記載の方法。
（項目６４）
エネルギーを貯蔵するための方法であって、
該方法は、
１つ以上のセントロードを提供することであって、該１つ以上のセントロードは、第２のセルの空気電極と接触している第１のセルの金属電極を有し、空気トンネルが、該金属電極と該空気電極との間に提供される、ことと、
該１つ以上のセントロードを覆うように延在する第１のフレーム、および該１つ以上のセントロードより下に延在する第２のフレームを提供することと
を含み、
該第１のセルは、空間を含み、該空間は、該金属電極を覆い、電解質を受け入れるために該第１のフレームによって取り囲まれ、該第２のセルは、空間を含み、該空間は、該空気電極より下にあり、電解質を受け入れるために第２の空間によって取り囲まれている、方法。
（項目６５）
実用規模のエネルギーを貯蔵するためのシステムであって、
該システムは、
複数の垂直方向に積み重ねられた金属空気セルであって、該金属空気セルは、少なくとも１つのフレームを含み、１つ以上の空気トンネルが、該セルの間に提供される、金属空気セルと、
該１つ以上のフレームと一体である電解質流量管理システムであって、該電解質流量管理システムは、電解質を該１つ以上のセルに分配するように構成される、電解質流量管理システムと、
該１つ以上の空気トンネルを通して空気流を提供するように構成される空気流アセンブリと
を含む、システム。